(57)【要約】【課題】簡潔に所定のドメインを呼び出すことを可能とすること。【解決手段】ＳｏＣは、音声認識を行う。ＳｏＣは、音声認識したワードが、所定のワード（例えば、「オンキヨー」）である場合、メインアシスタントに接続する。ＳｏＣは、音声認識したワードが、所定のワード以外のワード（例えば、「シェフ」）である場合、サードパーティーアシスタントに接続する。サードパーティーアシスタントは、所定のワード以外のワードに対応するドメイン（例えば、料理ドメイン）に接続する。【選択図】図１
2019109567.tif 000002
【特許請求の範囲】
【請求項１】
制御部を備え、
前記制御部は、
音声認識を行い、
音声認識したワードが、所定のワードである場合、メインアシスタントに接続し、
音声認識したワードが、所定のワード以外のワードである場合、サブアシスタントに接続することを特徴とする電子機器。
【請求項２】
前記サブアシスタントは、所定のワード以外のワードに対応するドメインに接続することを特徴とする請求項１に記載の電子機器。
【請求項３】
前記メインアシスタント、及び、前記サブアシスタントには、それぞれ、所定のドメインが対応付けられていることを特徴とする請求項１又は２に記載の電子機器。
【請求項４】
制御部を備える電子機器の制御プログラムであって、
前記制御部に、
音声認識を行わせ、
音声認識したワードが、所定のワードである場合、メインアシスタントに接続させ、
音声認識したワードが、所定のワード以外のワードである場合、サブアシスタントに接続させるための電子機器の制御プログラム。
【発明の詳細な説明】
【技術分野】
【０００１】
本発明は、音声認識を行う電子機器、及び、電子機器の制御プログラムに関する。
【背景技術】
【０００２】
マイクとスピーカーとを備え、ユーザーからの発話音声の操作を受け付ける機能を有する電子機器がある。図２は、電子機器を含む音声認識システムを示す図である。電子機器は、ユーザーの発話音声を外部のサーバーに送信する。サーバーは、発話音声をテキスト化し、文章理解（NLU：Natural Language Understanding）を行う。サーバーは、文章理解後、適切なコマンドに割り当て（ドメイン）、コマンドに該当するアプリケーションを実行する。電子機器は、ユーザーの要求に応じて、アプリケーション上で外部のサーバーと接続し、適切な情報を取り出す。例えば、ユーザーが「今日の大阪の天気は？」と発話した場合、サーバーは、今日の大阪の天気の情報をテキストデータとして取り出す。サーバーは、取り出したテキストデータ、例えば、「今日の大阪の天気は、晴れです。」というテキストデータを音声に変換し、電子機器に送信する。電子機器は、サーバーから送信された音声をスピーカーから出力することで、ユーザーの要求に対しての応答を行う。特許文献１には、ユーザーが天気、目的地（最寄りのレストラン等）の情報を要求している例が示されている。
【０００３】
音声認識では、音声データがテキスト化された後、その内容が、どういう意図なのかが理解される必要がある。このため、自然言語解析を介した後、コマンド化されるのが一般的である。コマンド化されたイベントは、アプリケーションに送信され、アプリケーションにより実行される。以下、アプリケーションをドメインと言う。例えば、ユーザーに天気を教えてくれるアプリケーションを、天気ドメインと言う。ドメインが多くなると、発話とコマンドの数とが多くなる。ドメインによっては、発話の内容とコマンドとが類似してしまい、誤認識してしまう問題がある。図３に示すように、料理ドメイン（レシピを紹介するドメイン）と観光ドメインとで、「今日の特ダネは？」と「今日の特売は？」とが非常に類似しており、コマンド化することができない。ドメインが増えると、必ず発生する問題となる。
【０００４】
従来技術では、図４に示すように、ドメイン間をしっかり区切ることで、会話が重複する問題を解決している。図５は、従来の音声認識システムを示す図である。ＡＳＲ（Auto speech recognition）は、音声認識を開始するトリガーワードを認識する。ユーザーが、例えば、「ハロー、オンキヨー」と発話し、ＡＳＲが、「ハロー、オンキヨー」を認識すると、後段のアシスタントが稼働する。アシスタントは、音楽ドメイン、天気ドメイン等の様々なドメインを有し、それぞれに対して、発話内容とコマンドとが対応付けられている。
【０００５】
ユーザーは、料理ドメインを呼び出したいときには、「ハロー、オンキヨー」、「トーク  トゥー  シェフ（Talk to chef）」と発話する。アシスタントは、「トーク  トゥー  シェフ」を認識すると、以降、料理ドメインを独占し、天気ドメイン等のコマンドを無視する。料理ドメインの終了は、発話がない状態でのタイムアウト、又は、ユーザーからのキャンセルを意図した発話で終了される。
【先行技術文献】
【特許文献】
【０００６】
【特許文献１】特開２０１４−１７９０６７号公報
【発明の概要】
【発明が解決しようとする課題】
【０００７】
従来技術では、料理ドメインを呼び出すまでが冗長である。
【０００８】
本発明の目的は、簡潔に所定のドメインを呼び出すことを可能とすることである。
【課題を解決するための手段】
【０００９】
第１の発明の電子機器は、制御部を備え、前記制御部は、音声認識を行い、音声認識したワードが、所定のワードである場合、メインアシスタントに接続し、音声認識したワードが、所定のワード以外のワードである場合、サブアシスタントに接続することを特徴とする。
【００１０】
本発明では、制御部は、音声認識したワードが、所定のワード（例えば、オンキヨー）以外のワード（例えば、シェフ）である場合、サブアシスタントに接続する。例えば、サブアシスタントが、所定のワード以外のワードに対応するドメインに接続すれば、ユーザーは、例えば、「シェフ」と発話するのみで、料理ドメインを使用することできる。このため、冗長な呼びかけを省略することができる。このように、本発明によれば、簡潔に所定のドメインを呼び出すことができる。
【００１１】
第２の発明の電子機器は、第１の発明の電子機器において、前記サブアシスタントは、所定のワード以外のワードに対応するドメインに接続することを特徴とする。
【００１２】
第３の発明の電子機器は、第１又は第２の発明の電子機器において、前記メインアシスタント、及び、前記サブアシスタントには、それぞれ、所定のドメインが対応付けられていることを特徴とする。
【００１３】
第４の発明の電子機器の制御プログラムは、制御部を備える電子機器の制御プログラムであって、前記制御部に、音声認識を行わせ、音声認識したワードが、所定のワードである場合、メインアシスタントに接続させ、音声認識したワードが、所定のワード以外のワードである場合、サブアシスタントに接続させる。
【発明の効果】
【００１４】
本発明によれば、簡潔に所定のドメインを呼び出すことができる。
【図面の簡単な説明】
【００１５】
【図１】本発明の実施形態に係る音声認識システムの構成を示すブロック図である。
【図２】電子機器を含む音声認識システムを示す図である。
【図３】ドメイン間で会話が類似するケースを示す図である。
【図４】ドメイン間で会話を区切る例を示す図である。
【図５】従来の音声認識システムを示す図である。
【発明を実施するための形態】
【００１６】
以下、本発明の実施形態について説明する。図１は、本実施形態に係る音声認識システムの構成を示すブロック図である。音声認識システム１は、電子機器と、クラウドサーバーと、を備える。電子機器は、図示しないが、ＳｏＣ（System on Chip）（制御部）と、マイクと、スピーカーと、を備える。ＳｏＣは、マイクから入力される音声の認識（ＡＳＲ（Auto Speech Recognition））を行い、メインアシスタント、サードパーティーアシスタント（サブアシスタント）に接続する。
【００１７】
ＳｏＣは、音声認識したワードが、例えば、「オンキヨー」（所定のワード）であった場合、メインアシスタントに接続する。例えば、「オンキヨー」は、アシスタントを起動するための、いわゆるトリガーワードである。メインアシスタントには、音楽ドメイン、天気ドメイン等が対応付けられている。メインアシスタントは、「オンキヨー」の後に、ユーザーから発話される内容に基づいて、音楽ドメイン、天気ドメイン等に接続する。
【００１８】
ＳｏＣは、音声認識したワードが、例えば、「シェフ」（所定のワード以外のワード）であった場合、サードパーティーアシスタントに接続する。サードパーティーアシスタントは、料理に関するワード「シェフ」に対応する、料理ドメインに接続する。このように、ＡＳＲで接続するアシスタントを分岐させることで、従来よりも、より短いトリガーワードで所定のドメインを利用することができる。
【００１９】
以上説明したように、本実施形態では、ＳｏＣは、音声認識したワードが、所定のワード（例えば、オンキヨー）以外のワード（例えば、シェフ）である場合、サブアシスタントに接続する。サブアシスタントは、所定のワード以外のワードに対応するドメイン（例えば、料理ドメイン）に接続する。これにより、ユーザーは、例えば、「シェフ」と発話するのみで、料理ドメインを使用することできる。このため、冗長な呼びかけを省略することができる。このように、本実施形態によれば、簡潔に所定のドメインを呼び出すことができる。
【００２０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【産業上の利用可能性】
【００２１】
本発明は、音声認識を行う電子機器、及び、電子機器の制御プログラムに好適に採用され得る。
【符号の説明】
【００２２】
１  音声認識システム
【図１】
2019109567.tif 000003
【図２】
2019109567.tif 000004
【図３】
2019109567.tif 000005
【図４】
2019109567.tif 000006
【図５】
2019109567.tif 000007